(57)【要約】【課題】  テープ内の共通配置部に、点字打刻に対応する墨字印刷を見栄え良く配置可能な文字情報処理装置、文字情報処理装置の情報処理方法、プログラムおよび記憶媒体を提供する。【解決手段】  入力された文字情報に基づく墨字印刷とそれに対応する点字打刻との双方に共通して同一のテープ内に設定された共通処理領域に、それぞれ収まるように、墨字印刷と点字打刻とを個別に行うに際して、点字打刻のために必要な打刻部長さを決定し、墨字印刷のために必要な印刷部長さを設定し、打刻部長さと印刷部長さとを比較して、長い方に基づいて共通処理領域の領域長およびその共通処理領域を設定することを特徴とする。【選択図】  図１０
2006001131.tif 000002
【特許請求の範囲】
【請求項１】
入力された文字情報に基づいて、同一のテープの共通処理領域内に、墨字印刷と点字打刻とを行う文字情報処理装置であって、
前記点字打刻のために必要な打刻部長さを決定する打刻部長さ決定手段と、
前記墨字印刷のために必要な印刷部長さを設定する印刷部長さ設定手段と、
前記打刻部長さと前記印刷部長さとを比較して、長い方に基づいて前記共通処理領域の領域長を設定する領域長設定手段と、
を備えたことを特徴とする文字情報処理装置。
【請求項２】
前記領域長設定手段は、
前記打刻部長さと前記印刷部長さとを比較する長さ比較手段と、
その比較結果を前記共通処理領域の設定情報として報知する比較結果報知手段と、
を有することを特徴とする、請求項１に記載の文字情報処理装置。
【請求項３】
前記打刻部長さ決定手段は、前記文字情報を仮名で示したときの文字数に基づいて前記打刻部長さを算出する打刻部長さ算出手段を有することを特徴とする、請求項１または２に記載の文字情報処理装置。
【請求項４】
前記印刷部長さ設定手段は、
前記墨字印刷のための書体、文字サイズおよび文字装飾のいずれかを含む印刷条件を設定する印刷条件設定手段と、
前記文字情報および前記印刷条件に基づいて、前記印刷部長さを算出する印刷部長さ算出手段と、
を有することを特徴とする、請求項１ないし３のいずれかに記載の文字情報処理装置。
【請求項５】
前記テープの前記共通処理領域内に前記墨字印刷を行う墨字印刷手段と、
前記墨字印刷後の前記テープを前記共通処理領域に基づいてラベルとしてカットするカット手段と、
カットされた前記ラベルを受け入れて、前記点字打刻を行う点字打刻手段と、
をさらに備えたことを特徴とする、請求項１ないし４のいずれかに記載の文字情報処理装置。
【請求項６】
前記打刻部長さが前記印刷部長さより短い場合に、前記共通処理領域内での前記点字打刻の位置を割り付ける点字位置割付手段をさらに備え、
前記点字位置割付手段は、前寄せ、中央寄せおよび後寄せのうちの複数の選択肢を有する点字位置選択手段を有することを特徴とする、請求項１ないし５のいずれかに記載の文字情報処理装置。
【請求項７】
入力された文字情報に基づいて、同一のテープの共通処理領域内に、墨字印刷と点字打刻とを行う文字情報処理装置の情報処理方法であって、
前記点字打刻のために必要な打刻部長さを求め、前記墨字印刷のために設定された印刷部長さと比較して、長い方に基づいて前記共通処理領域を設定することを特徴とする文字情報処理装置の情報処理方法。
【請求項８】
請求項１ないし６のいずれかに記載の文字情報処理装置の各手段を機能させること、または、請求項７に記載の文字情報処理装置の情報処理方法を実行可能なことを特徴とするプログラム。
【請求項９】
請求項８に記載のプログラムを、プログラム処理可能な装置によって読出可能に記憶することを特徴とする記憶媒体。
【発明の詳細な説明】
【技術分野】
【０００１】
本発明は、同一のテープに対して墨字印刷と点字打刻との双方を行う文字情報処理装置、文字情報処理装置の情報処理方法、プログラムおよび記憶媒体に関する。
【背景技術】
【０００２】
従来、視覚障害者が認識可能な点字と、視覚障害を有しない晴眼者が視認可能な墨字（点字に対し、通常の印刷文字を指す）とを、同一のテープに対して、字間を合わせて並べて配置して（または重ねて配置して）、視覚障害者と晴眼者の両者が認識可能な点字ラベルが知られている（例えば、特許文献１参照）。
【特許文献１】特開平１０−２７５２０６号公報
【発明の開示】
【発明が解決しようとする課題】
【０００３】
ところで、点字（打刻）では、それを触読するという特性から、仮名等を表す６点点字等には、その配置について、点字器や点字タイプライタ等で慣用されている１文字（１マス）や文字間（マス間）の仕様（以下「民間仕様」：図４等参照）がある。このため、点字打刻に要する配置部（打刻配置部）の長さ（打刻配置部長さ）は、実用的な要請から民間仕様に合わせて、その文字数によって、一律に決定される。
【０００４】
一方、文字印刷である墨字印刷のみを考えれば、同一の文字情報の入力に対しても、漢字か仮名かにより文字数が異なり、また、文字サイズや書体や文字装飾などを任意に設定でき、多彩な配置が可能である。しかしながら、それを点字打刻の民間仕様と整合させて設定するには、上述の民間仕様の知識を必要とするのに加えて、設定自体も煩雑且つ面倒なものとなり、実質上、不可能であった。
【０００５】
本発明は、テープ内の共通処理領域に、点字打刻に対応する墨字印刷を見栄え良く配置可能な文字情報処理装置、文字情報処理装置の情報処理方法、プログラムおよび記憶媒体を提供することを目的とする。
【課題を解決するための手段】
【０００６】
本発明の文字情報処理装置は、入力された文字情報に基づいて、同一のテープの共通処理領域内に、墨字印刷と点字打刻とを行う文字情報処理装置であって、前記点字打刻のために必要な打刻部長さを決定する打刻部長さ決定手段と、前記墨字印刷のために必要な印刷部長さを設定する印刷部長さ設定手段と、前記打刻部長さと前記印刷部長さとを比較して、長い方に基づいて前記共通処理領域の領域長を設定する領域長設定手段と、を備えたことを特徴とする。
【０００７】
また、本発明の情報処理方法は、入力された文字情報に基づいて、同一のテープの共通処理領域内に、墨字印刷と点字打刻とを行う文字情報処理装置の情報処理方法であって、前記点字打刻のために必要な打刻部長さを求め、前記墨字印刷のために設定された印刷部長さと比較して、長い方に基づいて前記共通処理領域を設定することを特徴とする。
【０００８】
この文字情報処理装置およびその情報処理方法では、点字打刻の民間仕様と直接関連しない共通処理領域の領域長を設定するので、その領域内に墨字印刷と点字打刻とを個別に行える。このため、点字打刻の民間仕様を知らなくても、共通処理領域内に墨字印刷の配置を任意に設定でき、これにより、所望通り見栄え良く配置可能になる。また、設定される共通処理領域は、点字打刻のための打刻部長さの方が長ければ、打刻部長さに基づくので、この場合、点字打刻の配置の心配は必要なく、共通処理領域内に収まるように、墨字印刷の配置を設定すれば良い。なお、この場合、自動または手動で、民間仕様に合わせて、設定することもできる。一方、墨字印刷のための印刷部長さの方が長ければ、もともと墨字印刷のための印刷部長さに基づく共通処理領域となるので、所望通り配置できる。また、この場合も、短い方の打刻部長さの打刻配置部は、共通処理領域内に収まるので、点字打刻も問題なく配置できる。なお、墨字印刷と点字打刻は、共通処理領域内において、テープの長手方向に沿って並行配置したり、一部を重ね合わせて行うことができる。
【０００９】
上述の文字情報処理装置において、前記領域長設定手段は、前記打刻部長さと前記印刷部長さとを比較する長さ比較手段と、その比較結果を前記共通処理領域の設定情報として報知する比較結果報知手段と、を有することが好ましい。
【００１０】
この文字情報処理装置では、打刻部長さと印刷部長さとの比較結果を報知するので、ユーザは、報知された設定情報を把握して、それを墨字印刷や点字打刻の配置に生かすことができる。
【００１１】
上述の各文字情報処理装置において、前記打刻部長さ決定手段は、前記文字情報を仮名で示したときの文字数に基づいて前記打刻部長さを算出する打刻部長さ算出手段を有することが好ましい。
【００１２】
この文字情報処理装置では、文字情報を仮名で示したときの文字数に基づいて算出することにより、打刻部長さを容易に決定できる。
【００１３】
上述の文字情報処理装置において、前記打刻部長さ算出手段は、前後の余白Ｍｂ、マス内横方向打刻点間ピッチＢ１４、マス間横方向打刻点間ピッチＢ４１、および、前記文字数Ｎｂとしたときに、打刻部長さＢＬを、ＢＬ＝Ｍｂ×２＋Ｂ１４×（Ｎｂ＋１）＋Ｂ４１×（Ｎｂ−１）の計算式に従って演算する打刻部長さ演算手段を有することが好ましい。
【００１４】
上述の各文字情報処理装置において、前記印刷部長さ設定手段は、前記墨字印刷のための書体、文字サイズおよび文字装飾のいずれかを含む印刷条件を設定する印刷条件設定手段と、前記文字情報および前記印刷条件に基づいて、前記印刷部長さを算出する印刷部長さ算出手段と、を有することが好ましい。
【００１５】
この文字情報処理装置では、入力された文字情報と書体や文字サイズや文字装飾などの設定された印刷条件に基づいて算出することにより、印刷部長さを容易に設定できる。
【００１６】
上述の各文字情報処理装置において、前記墨字印刷の後、前記点字打刻を行うことが好ましい。
【００１７】
この文字情報処理装置では、墨字印刷の後、点字打刻を行うが、墨字印刷の前には点字打刻のための打刻部長さは決定され、共通処理領域の設定に反映されているので、墨字印刷と点字打刻とは双方とも共通処理領域内に容易に配置できるとともに、点字の打刻凸部に対する墨字印刷が行われることはなく、墨字印刷も点字打刻もそれぞれ支障を生じることなく行うことができる。
【００１８】
上述の文字情報処理装置において、前記テープの前記共通処理領域内に前記墨字印刷を行う墨字印刷手段と、前記墨字印刷後の前記テープを前記共通処理領域に基づいてラベルとしてカットするカット手段と、カットされた前記ラベルを受け入れて、前記点字打刻を行う点字打刻手段と、をさらに備えたことが好ましい。
【００１９】
この文字情報処理装置では、共通処理領域内に墨字印刷を行った後のテープを共通処理領域に基づいてラベルとしてカットし、そのラベルに点字打刻を行うので、墨字印刷と点字打刻とが施され且つ共通処理領域長さに基づく長さのラベルを容易に作成できる。
【００２０】
上述の各文字情報処理装置において、前記打刻部長さが前記印刷部長さより短い場合に、前記共通処理領域内での前記点字打刻の位置を割り付ける点字位置割付手段をさらに備え、前記点字位置割付手段は、前寄せ、中央寄せおよび後寄せのうちの複数の選択肢を有する点字位置選択手段を有することが好ましい。
【００２１】
この文字情報処理装置では、打刻部長さが印刷部長さより短い場合に、共通処理領域内での点字打刻の位置を割り付けることにより、点字打刻を所望通りの位置に配置できる。また、前寄せ、中央寄せおよび後寄せのうちの複数の選択肢があるので、これらのいずれかの選択肢を選択するだけで、点字打刻の位置を容易に見栄え良く割り付けられる。
【００２２】
この情報処理方法では、点字打刻のために必要な打刻部長さを求め、墨字印刷のために設定された印刷部長さと比較して、長い方に基づいて共通処理領域を設定する。このため、共通処理領域は、点字打刻のための打刻部長さの方が長ければ、打刻部長さに基づいて設定され、墨字印刷のための印刷部長さの方が長ければ、印刷部長さに基づいて設定される。前者の場合、印刷部長さより長い共通処理領域となり、また、後者の場合、もともと墨字印刷のための印刷部長さに基づく共通処理領域となるので、いずれの場合も、墨字印刷を所望通り見栄え良く配置できる。また、いずれの場合も、打刻部長さ以上なので、点字打刻も問題なく配置できる。
【００２３】
また、本発明の報知方法は、同一のテープの共通処理領域内に、入力された文字情報に基づく墨字印刷と点字打刻とを行うための、前記共通処理領域の設定情報を報知する、であって、前記点字打刻のために必要な打刻部長さを求め、前記墨字印刷のために設定された印刷部長さと比較して、その比較結果を前記設定情報として報知することを特徴とする。
【００２４】
この報知方法では、打刻部長さと印刷部長さとの比較結果を共通処理領域の設定情報として報知するので、ユーザは、報知された設定情報を把握して、それを墨字印刷や点字打刻の配置に生かすことができる。
【００２５】
また、本発明のプログラムは、上述のいずれかの文字情報処理装置の各手段を機能させること、または、上述の情報処理方法を実行可能なこと、を特徴とする。また、本発明の記憶媒体は、上述のプログラムを、プログラム処理可能な装置によって読出可能に記憶することを特徴とする。
【００２６】
このプログラムは、上述のいずれかの文字情報処理装置の各手段を機能させることができるので、または、上述の情報処理方法を実行可能なので、プログラム処理可能な装置によって処理されることにより、また、プログラム処理可能な装置によって記憶媒体に記憶されたプログラムを読み出して実行することにより、点字打刻の民間仕様を知らなくても、テープ内の共通処理領域に、点字打刻に対応する墨字印刷を所望通り見栄え良く配置できる。
【発明を実施するための最良の形態】
【００２７】
以下、本発明の一実施形態（第１実施形態）に係るラベル作成装置について、添付図面を参照しながら詳細に説明する。
【００２８】
図１および図２に示すように、このラベル作成装置１は、手持ち部分１３を有する装置ケース２により外郭が形成され、装置ケース２は、前部ケース２ａと後部ケース２ｂとが一体形成されている。前部ケース２ａは、墨字印刷部１２０を有し、テープカートリッジＣから繰り出されるテープＴに対して墨字印刷を行う。また、後部ケース２ｂは、点字打刻部１５０を有し、ユーザがテープＴを手差し挿入する（ユーザがテープＴを指先で把持し、これを点字打刻部１５０に案内挿入する）ことにより点字打刻を行う。
【００２９】
前部ケース２ａの前部上面には各種入力キーを備えたキーボード３が配置されると共に、後部上面には開閉蓋２１が取り付けられ、長方形のディスプレイ４が配設されている。また、開閉蓋２１の内側左部にテープカートリッジＣを装着するためのカートリッジ装着部６（墨字印刷部１２０）が窪入形成されており、テープカートリッジＣは、蓋体開放ボタン１４の押下により開閉蓋２１が開放された状態でカートリッジ装着部６に着脱可能に装着される。また、開閉蓋２１には、これを閉止した状態でテープカートリッジＣの装着／非装着を視認するための覗き窓２１ａが形成されている。
【００３０】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するためのテープカッタ１９が臨んでいる。そして、テープカッタ１９によりテープＴの後端部が切断されることにより、印刷テープ排出口２２から墨字印刷後のテープＴが排出される。
【００３１】
また、ラベル作成装置１は、図３に示すように、制御系から見た基本的な構成として、キーボード３およびディスプレイ４を有し、文字情報の入力や各種情報の表示などマンマシンインタフェースを司る操作部１１０と、テープカートリッジＣ、印刷ヘッド７および印刷送りモータ１２１を有し、テープＴおよびインクリボンＲを搬送しながらテープＴ上に墨字印刷を行う墨字印刷部１２０と、テープカッタ１９およびこれを駆動するカッタモータ１４１を有し、印刷済みテープＴを切断する切断部１４０と、ソレノイド４７、打刻ピン４１および打刻送りモータ１５１を有し、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する先端検出センサ９１、同じく点字打刻部１５０においてテープＴに印刷された前後識別情報Ｄを検出する前後識別センサ９２、印刷送りモータ１２１の回転速度を検出する印刷部回転速度センサ１７２、および打刻送りモータ１５１の回転速度を検出する打刻部回転速度センサ１７３を有し、各種検出を行う検出部１７０と、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、各部と接続され、ラベル作成装置１全体を制御する制御部２００と、を備えている。
【００３２】
制御部２００は、ＣＰＵ２１０、ＲＯＭ２２０、ＲＡＭ２３０および入出力制御装置（以下、「ＩＯＣ：Input Output Controller」という）２５０を備え、互いに内部バス２６０により接続されている。ＲＯＭ２２０は、墨字印刷処理や点字打刻処理等の各種処理をＣＰＵ２１０で制御するための制御プログラムを記憶する制御プログラムブロック２２１と、墨字印刷を行うための文字フォントデータや点字打刻を行うための点字フォントデータの他、前後識別情報Ｄを墨字印刷するためのデータや点字データの打刻制御のための制御データ等を記憶する制御データブロック２２２とを有している。なお、文字フォントデータは、ＲＯＭ２２０内ではなく、ＣＧ−ＲＯＭを別個に備えても良い。
【００３３】
ＲＡＭ２３０は、フラグ等として使用される各種ワークエリアブロック２３１の他、生成された墨字印刷データを記憶する墨字印刷データブロック２３２と、生成された点字打刻データを記憶する点字打刻データブロック２３３と、ディスプレイ４に表示するための表示データを記憶する表示データブロック２３４と、設定された墨字印刷領域（印刷配置部）Ｅｐと点字打刻領域（打刻配置部）Ｅｂのレイアウトを記憶するレイアウトブロック２３５と、設定されたレイアウトに応じて点字データを１８０°回転させた状態で打刻する場合に使用する反転点字データＢ´（点字データをその終端側から展開したデータ，図９参照）を記憶する反転点字データブロック２３６と、を有し、制御処理のための作業領域として使用される。また、ＲＡＭ２３０は電源が切断されても記憶したデータを保持しておくように常にバックアップされている。
【００３４】
ＩＯＣ２５０には、ＣＰＵ２１０の機能を補うと共に各種周辺回路とのインタフェース信号を取り扱うための論理回路が、ゲートアレイやカスタムＬＳＩなどにより構成されて組み込まれている。これにより、ＩＯＣ２５０は、キーボード３からの入力データや制御データあるいは検出部１７０の各種センサ値を、そのまま或いは加工して内部バス２６０に取り込むと共に、ＣＰＵ２１０と連動して、ＣＰＵ２１０から内部バス２６０に出力されたデータや制御信号を、そのまま或いは加工して駆動部１８０に出力する。
【００３５】
そして、ＣＰＵ２１０は、上記の構成により、ＲＯＭ２２０内の制御プログラムに従って、ＩＯＣ２５０を介してラベル作成装置１内の各部から各種信号・データを入力する。また、入力した各種信号・データに基づいてＲＡＭ２３０内の各種データを処理し、ＩＯＣ２５０を介してラベル作成装置１内の各部に各種信号・データを出力することにより、墨字印刷処理や点字打刻処理の制御などを行う。
【００３６】
例えば、ＣＰＵ２１０は、キーボード３より文字情報が入力されると、これに基づいて墨字印刷データを生成して墨字印刷データブロック２３２に一時的に記憶すると共に、同じく文字情報に基づいて点字打刻データを生成し、点字打刻データブロック２３３に一時的に記憶する。また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字印刷データブロック２３２内の墨字データに基づく墨字印刷を行う。またこのとき、墨字データと共に、前後識別情報Ｄの印刷（予め制御データブロック２２２内に記憶されているデータに基づく）も行う。その後、墨字印刷データ（文字情報入力時に後余白長の長さを設定可能である場合はその後余白データも含む）に基づく所定長さのテープ送りを行うことで、テープカッタ１９によりテープ後端部を切断し、印刷テープ排出口２２からテープＴを排出する。
【００３７】
また、引き続き（リセット操作や電源オフ操作が無い状態で）、ユーザによる手差し挿入により、短冊状に切断されたテープＴが打刻テープ挿入口３１に挿入されると、打刻ユニット８０およびテープ送り機構６０を駆動することにより、点字打刻データブロック２３３または反転点字データブロック２３５内の反転点字データＢ′（図９参照）に基づいて点字打刻を行う。そして、打刻終了後、打刻送りモータ１５１の駆動により、点字打刻データ（文字情報入力時に後余白長の長さを設定可能である場合はその後余白データも含む）に基づく所定長さのテープ送りを行うことで、打刻テープ排出口３２からテープＴを排出する。
【００３８】
図１〜図３を参照して、さらに詳述する。キーボード３には、文字キー群３ａ、および各種動作モード等を指定するための機能キー群３ｂが配列されている。文字キー群３ａは、墨字印刷や点字打刻を行うための文字情報を入力するためのものであり、ＪＩＳ配列に基づいたフルキー構成となっている。また、機能キー群３ｂには、墨字印刷や点字打刻を実行させるための印刷・実行キー（印刷キー）、点字打刻部１５０におけるテープＴの送り開始を指示する送り開始キー、手動により点字打刻を行わせる打刻開始キーの他、墨字印刷や点字打刻を行うための処理モードを選択するモードキー、墨字印刷領域（印刷配置部）Ｅｐと点字打刻領域（打刻配置部）Ｅｂの配置（図９参照）を設定するレイアウトキーが含まれる。また、これら以外にも、機能キー群３ｂには一般のワープロ等と同様に、処理の取り消し等のための取消キー、カーソル移動用のカーソルキー、各種選択画面における選択肢の決定やテキスト入力時の改行のための確定（エンター）キーなどが含まれる。
【００３９】
モードキーによって選択される処理モードとしては、入力された文字情報に基づいて墨字印刷および点字打刻を行う第１処理モード（図８（ａ）参照）、入力された文字情報に基づいて墨字印刷のみを行う第２処理モード（同図（ｂ）参照）、入力された文字情報に基づいて点字打刻のみを行う第３処理モード（同図（ｃ）参照）があり、いずれか１つの処理モードが選択される。
【００４０】
ディスプレイ４は、横方向（Ｘ方向）約１２cm×縦方向（Ｙ方向）５cmの長方形の形状の内側に、１９２ドット×８０ドットの表示画像を表示可能であり、ユーザがキーボード３から文字情報を入力して、墨字印刷を行うための墨字データや、点字打刻を行うための点字データを作成・編集したりする際に用いられる。また、各種エラーやメッセージ（指示内容）を表示し、ユーザに報知する。
【００４１】
墨字印刷部１２０において、カートリッジ装着部６には、ヘッドカバー２０ａ内にサーマルヘッドから成る印刷ヘッド７が内蔵されたヘッドユニット２０と、印刷ヘッド７に対峙するプラテン駆動軸２５と、インクリボンＲを巻き取る巻き取り駆動軸２３と、テープリール１７の位置決め突起２４と、を備えている。また、カートリッジ装着部６の下側には、プラテン駆動軸２５および巻き取り駆動軸２３を回転させる印刷送りモータ１２１が内蔵されている。
【００４２】
テープカートリッジＣは、カートリッジケース５１内部の上部中央部に、一定の幅のテープＴを巻回したテープリール１７と、右下部にインクリボンＲを巻回したリボンリール１９とを収容して構成されており、テープＴとインクリボンＲは同じ幅で構成されている。また、テープリール１７の左下部にはヘッドカバー２０ａに差し込むための貫通孔５５が形成されており、テープＴとインクリボンＲとが重なる部分に対応して、上記プラテン駆動軸２５に嵌合されて回転駆動するプラテンローラ５３が配置されている。一方、上記リボンリール１９に近接してリボン巻き取りリール５４が配置され、リボンリール１９から繰り出されたインクリボンＲは、ヘッドカバー２０ａを周回するように配置されたリボン巻き取りリール５４に巻き取られるようになっている。
【００４３】
テープカートリッジＣがカートリッジ装着部６に装着されると、ヘッドカバー２０ａに貫通孔５５が、位置決め突起２４にテープリール１７の中心孔が、巻き取り駆動軸２３にリボン巻き取りリール５４の中心孔がそれぞれ差し込まれ、テープＴおよびインクリボンＲを挟み込んで印刷ヘッド７がプラテンローラ５３に当接して墨字印刷が可能になる。墨字印刷では、入力された文字情報に基づく墨字データの他、テープＴの前後を識別するための前後識別情報Ｄ（図６参照）の印刷を行う。そして、墨字印刷後のテープＴは、印刷テープ排出口２２に送られる。
【００４４】
テープＴは、特に図示しないが、裏面に粘着剤層が設けられた基材シート（情報形成層）と、この粘着剤層により基材シートに貼付された剥離紙（剥離紙層）とから構成されている。基材シートは、表側から、インクリボンから感熱転写されるインクの定着性を高めた受像層と、ポリエチレンテレフタレート（ＰＥＴ）製のフィルムで構成され、基材シートの主体を為す基材層と、粘着剤で構成された粘着剤層とを積層して構成されている。一方、剥離紙は、基材シートをラベルとして使用する時まで粘着剤層に埃などが付着しないようにするためのものであって、表面にシリコン処理がなされた上質紙などで構成されている。これにより、粘着剤層が剥離紙に及ぼす粘着力は、基材層に及ぼす粘着力よりも極端に小さくなっている。
【００４５】
また、テープＴは、テープ種別（テープ幅、テープ色、墨字インク色、テープ材質など）が異なる複数種のものが用意されており、この種別を指標する複数の孔（図示省略）がカートリッジケース５１の裏面に設けられている。また、複数の孔に対応してカートリッジ装着部６には、これらを検出するテープ識別センサ（マイクロスイッチ）１７１が複数設けられており、このテープ識別センサ１７１の状態を検出することで、テープ種別を判別できるようになっている。なお、本実施形態では、テープ幅２４ｍｍ（テープＴ１）、テープ幅１８ｍｍ（テープＴ２）、テープ幅１２ｍｍ（テープＴ３）の３種を例に挙げて説明する（図６参照）。
【００４６】
一方、後部ケース２ｂには、その内部に点字打刻を行うアッセンブリ（点字打刻部１５０）が組み込まれ、その上面は点字打刻部１５０（具体的には、テープ走行路７０、打刻ユニット８０およびテープ送り機構６０）が露出するように十字状に開放されている。また、この切り欠き開口部３０の右部にはユーザによりテープＴが手差し挿入される打刻テープ挿入口３１が形成され、左部には点字打刻後のテープＴが排出される打刻テープ排出口３２が形成されている。
【００４７】
点字打刻部１５０は、３個の打刻ピン４１（図５（ｂ）参照）により点字打刻を行う打刻ユニット８０と、打刻テープ挿入口３１に挿入されたテープＴを打刻テープ排出口３２に向けて送るテープ送り機構６０と、テープＴが搬送されるテープ走行路７０とを有し、テープ送り機構６０の駆動によりテープ走行路７０に沿って送られていくテープＴに対し、打刻ユニット８０により３個の打刻ピン４１を選択的に駆動することで点字Ｂが形成される。
【００４８】
テープ送り機構６０は、正逆回転可能なグリップローラである送りローラ６１と、送りローラ（従動ローラ）６１を装置フレーム６５に支持する支持部材６２と、打刻送りモータ１５１とから成り、送りローラ６１は、形成された点字Ｂを押し潰すことがないよう、テープ走行路７０の幅方向における上下３カ所ずつに、干渉を逃げる（干渉しないような配置の）環状溝６３（図６参照）が形成されている。
【００４９】
また、打刻ユニット８０は、テープＴの裏面側に配設されると共に上記３個の打刻ピン４１が組み込まれた打刻部材８１（打刻ヘッド）と、テープＴを挟んで打刻部材８１と対向する位置に設けられた打刻受け部材８２とから成り（図５（ｂ）参照）、テープ走行路７０の幅方向における下端部に固定配置されている（図５（ａ）参照）。したがって、最大幅（２４ｍｍ）のテープＴ１に点字打刻を行う場合は、テープＴ１の幅方向における下半部に点字打刻を行うこととなる（図６参照）。
【００５０】
ここで、図４および図１２（ａ）を参照し、テープＴ上に形成される点字Ｂ（６点点字Ｂ）について説明する。図４（ａ）は、文字情報「し」を表す点字（点字データ）Ｂを示す図である。
【００５１】
点字器や点字タイプライタ等で慣用されている１文字（１マス）や文字間（マス間）の仕様（以下「民間仕様」）によれば、同図に示すように、６点点字Ｂは、縦３個×横２個の６個の点（打刻ドット：いわゆる「１の点」〜「６の点」と呼ばれる６個の点）で１マス２０１が構成され、この１マス２０１で、１文字または濁点等の属性が表現される。
【００５２】
なお、点字Ｂには、このような仮名文字や数字等を表す６点点字Ｂの他、漢字を表す８点点字（１マスが縦４個×横２個の点で構成される点字）も使用されている。ここでは、６点点字Ｂを形成する場合を例に挙げて説明するが、８点点字を形成するラベル作成装置においても本発明は適用可能である。
【００５３】
６点点字Ｂは、１マス２０１が縦３個×横２個の配置パターンで６個の打刻ポイント（１の点〜６の点）２０１ａ〜２０１ｆに分割されており、縦方向のピッチが略２．４ｍｍ、マス内の横方向のピッチが略２．１ｍｍ（例えば１−４間ピッチＢ１４＝２．１ｍｍ）、マス間のピッチは略３．３ｍｍ（例えば４−１間ピッチＢ４１＝３．３ｍｍ）となっている。
【００５４】
同図では、６個の打刻ポイント（１の点〜６の点）２０１ａ〜２０１ｆのうち４個の打刻ポイント２０１ａ、２０１ｂ、２０１ｅ、２０１ｆが選択的に打刻されて、テープＴ上に例えば角の丸まった円筒形、半球形、円錐形、四角錐形等の断面形状（図４（ｂ）参照）を有する４個の打刻凸部２０２ａ、２０２ｂ、２０２ｅ、２０２ｆが形成されている。なお、６点点字Ｂを打刻するためには、１マス２０１の大きさ（テープ幅方向長さ）から換算して、最低限テープ幅１２ｍｍ（テープＴ３）が必要となっている。
【００５５】
また、実施形態のラベル作成装置１は、打刻ユニット８０として相互に交換可能な２種類のユニットが用意されており、一方は直径が略１．４ｍｍの小形の小打刻凸部２０３を形成し、他方は直径が略１．８ｍｍの大形の大打刻凸部２０４を形成する。大小２種類の打刻凸部２０３、２０４は、その用途によって使い分けられるものであり、例えば、小打刻凸部２０３が点字Ｂの読み取りに慣れた者（先天盲者）向けであって、大打刻凸部２０４が初心者（中途失明者）向けである。
【００５６】
次に、図５を参照し、打刻ユニット８０の構成について説明する。同図（ａ）は打刻ユニット８０を図１における上側から見た平面図であり、同図（ｂ）は打刻ユニット８０の断面図である。同図（ａ）は、墨字印刷後のテープＴ（テープ幅１２ｍｍ）が、打刻テープ挿入口３１から手差し挿入によりテープ走行路７０に送り込まれ、打刻テープ排出口３２に向かってテープＴが送られていく状態を示したものである。
【００５７】
両図に示すとおり、打刻ユニット８０は、３個の打刻ピン４１を備えた打刻部材８１と、これら打刻ピン４１を受ける打刻受け部材８２とを備え、打刻部材８１は、テープ幅方向（同図（ａ）における上下方向）に沿って、２．４ｍｍの間隔で配列された３個の打刻ピン４１を備えており、６個のうち縦３個の打刻ポイント２０１ａ〜２０１ｃ（または２０１ｄ〜２０１ｆ）に対応していると共に、ソレノイド４７を駆動源とした直線運動をガイドするガイド部材４５によって、テープＴに対し垂直に保持されている。打刻ピン４１の頭部４１ａは、打刻した打刻凸部２０２の形状が角の丸まった円筒形、半球形、円錐形、四角錐形等の断面形状（図４（ｂ）参照）となるような形状に形成されている。
【００５８】
ここで、ソレノイド４７によりプランジャー４８が直線運動を行うと、アーム部材４６が支持部材４９を支点として回動し、打刻ピン４１がテープＴに対し垂直方向に直線運動を行う。そして、３個のアーム部材４６にそれぞれ接続された３個のソレノイド４７は、三角形状の角部に位置するようにそれぞれ配設されている。一方、打刻受け部材８２は、３個の打刻ピン４１と対向する面４２ａに、３個の打刻ピン４１に対応する３個の打刻受け凹部４３が形成されている。
【００５９】
そして、打刻ユニット８０は、この打刻ピン４１と打刻受け部材８２とにより、テープＴに打刻凸部２０２を形成する。すなわち、入力された文字情報に基づいて生成された点字データに対応してソレノイド４７が励磁し、プランジャー４８が吸引されると、打刻ピン４１がガイド部材４５に案内されてテープＴに対して垂直方向に進み、テープＴを挟んで対応する打刻受け凹部４３に突き当たり、テープＴに打刻凸部２０２を形成する。
【００６０】
次に、図６を参照し、点字打刻部１５０におけるテープＴの搬送について説明する。上記のとおり、点字打刻部１５０は、打刻ユニット８０、テープ走行路７０、テープ送り機構６０を備える他、テープＴの搬送をガイドするガイド部材７１、７２と、テープＴの先端を検出する透過型の先端検出センサ９１と、テープＴの前後を識別するための前後識別情報Ｄを検出する反射型の前後識別センサ９２（検出センサ）と、をさらに備えている。また、第１処理モードに設定されている場合、点字打刻部１５０に送り込まれるテープＴには、墨字印刷部１２０により予め前後識別情報Ｄが印刷されている。前後識別情報Ｄとしては、図示のとおり、テープＴの送り方向先端部付近であって、テープ幅方向の下端部付近に点「・」が印刷されており、これによってテープの挿入方向（前側）が指標されているものとする。
【００６１】
打刻テープ挿入口３１には、テープ幅の大きいものからテープＴ１（テープ幅２４ｍｍ）、テープＴ２（テープ幅１８ｍｍ）、テープＴ３（テープ幅１２ｍｍ）が挿入可能であり、最大テープ幅のテープＴ１については上下ガイド７１、７２によってガイドされ、それ以外のテープＴ２、Ｔ３については、下ガイド部材７１のみによってガイドされ、ユーザによりその先端がテープ送り機構６０（送りローラ６１）に到達するまで（挿入可能な位置まで）手差し挿入される。そして、キーボード３上のテープ送り開始キーの押下によりテープ送り機構６０によるテープＴ３の送りが開始される。
【００６２】
このとき、テープ先端から打刻開始位置までの前余白長が、打刻ユニット８０（打刻ピン４１）と、先端検出センサ９１との間の長さＬ１よりも短く設定されている場合は（但し、前余白長が図示の長さＬ２よりも長く設定が前提）、送りローラ６１を逆回転させることでテープＴを送り戻し、適当な位置まで送ったところで打刻および正方向へのテープ送りを開始する。
【００６３】
なお、打刻ユニット８０による点字打刻は、設定されたレイアウトに応じて、点字データを正方向で打刻（通常打刻）したり、点字データを１８０°回転させた状態で打刻する。また、打刻終了後は、テープ送り機構６０により所定長さのテープ送りを行うことで、打刻テープ排出口３２からテープＴを排出する。なお、打刻ユニット８０による打刻開始は、先端検出センサ９１によるテープ先端の検出をトリガとするのではなく、ユーザがキーボード３上の打刻開始キーを押下することにより手動開始させることも可能である。
【００６４】
次に、図７〜図９を参照し、ラベル作成装置１の全体処理について説明する。図７に示すように、電源キーの押下（電源オン）により処理が開始すると、まず、前回の電源オフ時の状態に戻すために、退避していた各制御フラグを復旧するなどの初期設定を行い（Ｓ１０）、テープ識別センサ１７１（図３参照）によりテープ種別を検出し（Ｓ１１）、続いて、ユーザによるキーボード３からの（またはパソコン等の外部装置からの）データ入力により文字情報が入力される（Ｓ１２）。
【００６５】
ここで、キーボード３からのモード選択指示（モードキー入力）により（または外部装置からの指示入力により）、モード選択割込が発生すると（ＩＮＴ１）、処理モード選択の処理が起動され、第１処理モード（墨点併記）、第２処理モード（墨字のみ）および第３処理モード（点字のみ）のいずれかが選択される（Ｓ１３：図１０のＤ１２等も参照）。
【００６６】
また、キーボード３からのレイアウト設定指示（レイアウトキー入力）により（または外部装置からの指示入力により）、レイアウト設定割込が発生すると（ＩＮＴ２）、レイアウト設定Ａの処理が起動され（Ｓ１４Ａ：図１５等も参照）、キーボード３からの印刷指示（印刷キー入力）により（または外部装置からの指示入力により）、印刷割込が発生すると（ＩＮＴ３）、レイアウト設定Ｂの処理が起動される（Ｓ１４：図１１、図１９等も参照）。
【００６７】
レイアウト設定Ａ（Ｓ１４Ａ）では、主な設定として、テープ幅検出結果（Ｓ１１）および処理モード選択結果（Ｓ１３）に基づいて、テープＴ上における墨字印刷領域（印刷配置部）Ｅｐや点字打刻領域（打刻配置部）Ｅｂのレイアウトとして、各配置部の長さ（印刷配置部長さＰＬ、打刻配置部長さＢＬ）や、結果的にラベル長さに反映される共通配置部長さＣＬ等が設定され（図１２参照）、その他、墨字印刷の文字サイズなど、一般的なテープ印刷装置やワープロ等と同様の設定が行われる（図１５のＤ４８Ｓ等参照）。
【００６８】
そして、特に第１処理モード（墨点併記）の場合、図９に示すように、テープ幅の検出結果が２４ｍｍ（テープＴ１）の場合は（同図（ａ）参照）、印刷配置部Ｅｐが上段，打刻配置部Ｅｂが下段（ａ―１：以下「点字下段」）、または印刷配置部Ｅｐが下段，打刻配置部Ｅｂが上段（ａ―２：以下「点字上段」）のいずれかのレイアウトが選択される（図１５のＤ４０等も参照）。なお、テープＴの上下は、前後識別情報Ｄをテープ挿入方向（左向き）とし、且つ情報形成面を表側としたときの上下を指すものである。
【００６９】
また、テープ幅が１８ｍｍ（テープＴ２）の場合も（図９（ｂ）参照）、点字下段（ｂ―１）、点字上段（ｂ―２）のいずれかが選択されることとなるが、この場合、テープ幅に合わせて印刷配置部Ｅｐのテープ幅方向長さが短くなる。なお、これらの場合、墨字と点字とを並行に配置するレイアウト（以下「墨点並行」）以外に、墨字と点字とを重ねるレイアウト（以下「墨点重ね」）を選択して設定できるようになっている（図１５のＤ４１、図１７等参照）。
【００７０】
なお、テープ幅が１２ｍｍ（テープＴ３）の場合は（図９（ｃ）参照）、テープ幅が点字１マス２０１の大きさ（テープ幅方向長さ）を打刻可能な最低の長さであるため（図４（ａ）参照）、点字上段・下段の選択、墨点並行／重ねの選択・設定に拘わらず、印刷配置部Ｅｐと打刻配置部Ｅｂが重なり合ったレイアウトのみとなる。
【００７１】
次に、レイアウト設定Ｂ（Ｓ１４Ｂ）では、実際の墨字印刷や点字打刻に際してその時点で必要とされる割付配置等の設定や各設定の最終確認等が行われる（図１１、図１９等参照）。なお、モード選択割込やレイアウト設定割込がないまま、印刷割込が発生したときには（ＩＮＴ３）、デフォルトとして前回の設定のモード（初期設定では第１処理モード、点字下段、墨点並行）が選択される。そして、レイアウト設定Ｂ（Ｓ１４Ｂ）が終了すると、実際の墨字印刷や点字打刻の処理を開始する。
【００７２】
すなわち、図７および図８（ａ）に示すように、第１処理モードの場合（Ｓ１３：（ａ））、墨字印刷部１２０による墨字Ｐの印刷（墨字印刷）を行った後（Ｓ１５）、印刷テープ排出口２２からテープＴを排出し（Ｓ１６）、ディスプレイ４上に打刻テープ挿入口３１へのテープ挿入指示を表示する（Ｓ１７）。なお、この指示表示は、インジケータやＬＥＤによって行っても良い。テープ挿入指示に従って、ユーザによりテープＴが打刻テープ挿入口３１に挿入（手差し挿入）されると、点字打刻部１５０により点字Ｂの打刻（点字打刻）を行った後（Ｓ１８）、打刻テープ排出口３２から打刻済みテープＴを排出し（Ｓ１９）、処理を終了する（Ｓ２７）。この場合、点字打刻部１５０では、前後識別情報Ｄの検出を行い、検出結果と設定されたレイアウトに応じて点字打刻方向を決定すると共に、テープ挿入方向が間違っている場合、点字打刻を行わない。
【００７３】
また、第２処理モードの場合（Ｓ１３：（ｂ））、墨字印刷部１２０による墨字印刷の後（Ｓ２０）、印刷テープ排出口２２からテープＴを排出し（Ｓ２１）、処理を終了する（Ｓ２７）。すなわち、第２処理モードでは、図８（ｂ）に示すとおり、装着されたテープカートリッジＣから繰り出されたテープＴが墨字印刷部１２０へ送られることによって墨字Ｐを印刷する。なお、第２処理モードが選択された場合は、前後識別情報Ｄの印刷を省略することも可能である。
【００７４】
また、第３処理モードの場合（Ｓ１３：（ｃ））、ディスプレイ４上に打刻テープ挿入口３１へのテープ挿入指示を表示し（Ｓ２４）、ユーザによるテープ挿入により点字打刻を行った後（Ｓ２５）、打刻テープ排出口３２から打刻済みテープＴを排出し（Ｓ２６）、処理を終了する（Ｓ２７）。
【００７５】
すなわち、第３処理モードでは、図８（ｃ）に示すとおり、短冊状のテープ（任意の長さにカットされたテープ）Ｔが手差し挿入により点字打刻部１５０に送られることによって点字Ｂを打刻する。また、この場合も、第１処理モードの場合と同様に、点字打刻部１５０において、前後識別情報Ｄの検出結果と設定されたレイアウトに応じて点字打刻方向を決定し、テープ挿入方向が間違っている場合、点字打刻を行わない。
【００７６】
なお、第３処理モードの場合も、前後識別情報Ｄの検出を省略することが可能であり、前後識別情報Ｄの検出を行うか否かを選択できるようにしても良い。また、手差し挿入のための短冊状のテープＴを入手するために、テープ挿入指示（Ｓ２４）の前に、点線で図示のように、第１処理モードの墨字印刷の代わりの空印刷（何も印刷しないでテープ送りのみ）を行った後（Ｓ２２）、印刷テープ排出口２２からテープＴを排出して（Ｓ２３）、排出された（テープカット後の）テープＴを、手差し挿入用の短冊状のテープＴとして利用しても良い。また、点字打刻部１５０の上流側にテープカートリッジＣを装着し、テープカートリッジＣから繰り出された長尺状のテープに点字打刻を行わせることも可能である。さらに、墨字印刷と点字打刻は、同じ文字情報に基づいて印刷／打刻するのではなく、異なる文字情報に基づいて実行することも可能である。
【００７７】
次に、ラベル作成時の操作およびそれにより作成される各種ラベルの例について、さらに具体的に詳述する。なお、以下の操作例では、例えば駅構内の切符自販機や改札機等あるいはホームへの昇降口等に貼付して、鉄道路線（例えば「大糸線」）を表記・案内するための墨字・点字を併記したラベル等を作成する。
【００７８】
まず、（第１）操作例として例えば図１０に示すように、カーソルＫまでの１行目の文字（キャラクタ）列「おおいとせん」が入力（未確定）されたテキスト編集画面表示の状態で（画面Ｄ１０：以下、ディスプレイ４の表示画面の状態を画面Ｄｘｘとし、Ｄｘｘのみで説明および図示する。）、ユーザにより確定（エンター）キーが押されると、未確定の「おおいとせん」を確定状態にするとともに、その時点の各種設定に従って３つの処理モードのそれぞれに従った処理を行った場合のラベル長さを、設定情報として表示する（Ｄ１１）。
【００７９】
すなわち、文字情報（キャラクタ列）が確定された時点の各種設定に従って、第２処理モード（墨字のみ）の墨字印刷のみを行った場合の墨字印刷領域（印刷配置部）Ｅｐのテープ長手方向の長さ（印刷配置部長さ、印刷部長さ）ＰＬ（例えばＰＬ＝３０．０ｍｍ：図１３（ｃ）参照）を、「墨字３０．０」のように表示し、各種設定に従って第３処理モード（点字のみ）の点字打刻のみを行った場合の点字打刻領域（打刻配置部）Ｅｂのテープ長手方向の長さ（打刻配置部長さ、打刻部長さ）ＢＬ（例えばＢＬ＝４９．２ｍｍ：図１２（ａ）参照）を、「点字４９．２」のように表示し、各種設定に従って第１処理モード（墨点併記）の墨字印刷および点字印刷を行った場合のテープ長手方向の長さ（共通配置部長さ：領域長）ＣＬ（例えばＣＬ＝４９．２ｍｍ：図１２（ｃ）参照）を、「共通４９．２」のように表示する。
【００８０】
ここで、図４および図１２（ａ）を参照して、打刻配置部長さＢＬについて説明しておく。まず、打刻配置部Ｅｂの先端（例えばテープＴの先端）〜最初のマスの前端の間の長さと、最後のマスの後端〜打刻配置部Ｅｂの後端（例えばカット後のテープＴの後端）の間の長さを、それぞれ前または後のマージン（前後余白）Ｍｂとし、ここでは、仮に前後余白Ｍｂ＝９．０［ｍｍ］とする。また、最初のマスの前端〜最初の点（例えば１の点）の間の長さと、最後のマスの最後の点（例えば４の点）〜最後のマスの後端の間の長さを、図４で前述の民間仕様の１−４間ピッチＢ１４の半分とし、Ｂ１４／２と表現する。また、点字によって表現する文字数を文字数Ｎｂとし、ここでは、「おおいとせん」の６文字なので、文字数Ｎｂ＝６とする。
【００８１】
この場合、図１２（ａ）に示すように、打刻配置部長さＢＬは、
ＢＬ＝Ｍｂ×２＋Ｂ１４×（Ｎｂ＋１）＋Ｂ４１×（Ｎｂ−１）  ……（１）
＝９．０×２＋２．１×７＋３．３×５＝４９．２［ｍｍ］
となる。
【００８２】
次に、図１２（ａ）で上述の民間仕様の点字打刻に合わせて調整した墨字印刷の配置（以下「従点字配置」）の場合を例に挙げて、同図（ｂ）を参照して、印刷配置部Ｅｐのテープ長手方向の長さである印刷配置部長さＰＬについて説明する。
【００８３】
この場合、一般的な文字印刷と同様の前または後のマージン（前後余白）Ｍｐを、同図（ａ）の打刻配置の前後余白Ｍｂに合わせて、前後余白Ｍｐ＝９．０ｍｍとする。また、文字数Ｎｐは「おおいとせん」の６文字より、文字数Ｎｐ＝６とし、また、１文字の文字幅Ｐｗは、上記の１マスの横幅に合わせて、文字幅Ｐｗ＝４．２とし、文字間Ｐｓは、上記の打刻配置に合わせて調整して、文字間Ｐｓ（＝Ｂ４１−Ｂ１４）＝１．２とする。なお、以下の説明において、文字高Ｐｔを省略時には文字高Ｐｔ＝Ｐｗ（文字幅）とする。
【００８４】
この場合、図１２（ｂ）に示すように、印刷配置部長さＰＬは、
ＰＬ＝Ｍｐ×２＋Ｐｗ×Ｎｐ＋Ｐｓ×（Ｎｂ−１）              ……（２）
＝９．０×２＋４．２×６＋１．２×５＝４９．２［ｍｍ］
となる。
【００８５】
ここで、第２処理モード（墨字のみ）の場合の印刷配置部長さＰＬは、「おおいとせん」の文字数Ｎｐ＝６のまま、例えば図１３（ｃ）に示すように、文字幅Ｐｗ＝３．０、文字間Ｐｓ＝２．０、前後余白Ｍｐ＝１．０ｍｍとすると、上記（１）式より、ＰＬ＝１．０×２＋３．０×６＋２．０×５＝３０．０［ｍｍ］となる。なお、いわゆる定長印刷のときの定長設定と同様に、印刷配置幅長さＰＬを直接指定して設定することもでき（例えば図１５のＤ４２〜Ｄ４７参照）、この場合、文字数Ｎｐ＝６等に基づいて（例えば均等配置で）割り付けて、上記の文字幅Ｐｗ＝３．０等を予め定めた仕様に従って自動的に決定できるようにしても良い。
【００８６】
また、第１処理モード（墨点併記）の共通配置部長さＣＬは、図１２（ｃ）に示すように（且つ図１２の例では）、打刻配置部長さＢＬと印刷配置部長さＰＬの大きい方（最大値）と言う意味で、
ＣＬ＝ＭＡＸ［ＢＬ，ＰＬ］                                  ……（３）
＝４９．２［ｍｍ］
となる。なお、共通配置部（共通処理領域）Ｅｃは打刻配置部Ｅｂと印刷配置部Ｅｐとの双方を含む領域とする（図１２（ｃ）および図１６（ｃ）参照）。
【００８７】
ここで、図１０の説明に戻って、「おおいとせん」の入力確定後の状態では（Ｄ１１）、その時点の各種設定に従って、例えば図１３（ｃ）のようになるはずの第２処理モード（墨字のみ）の印刷配置部長さＰＬ＝３０．０ｍｍを、「墨字３０．０」のように表示し、例えば図１２（ａ）のようになるはずの第３処理モード（点字のみ）の打刻配置部長さＢＬ＝４９．２ｍｍを、「点字４９．２」のように表示し、例えば図１２（ｃ）のようになるはずの第１処理モード（墨点併記）の共通配置部長さＣＬ＝４９．２ｍｍを、「共通４９．２」のように表示する。
【００８８】
この状態で（Ｄ１１：図７ではＳ１２の状態）、ユーザによりモードキーが押されると（図７で前述のモード選択割込（ＩＮＴ１）が発生して）、ラベルとしての処理モード（ラベルモード）の選択画面に移行する（Ｄ１２：図７のＳ１３）。この状態で、ユーザは、カーソル操作によって、「１．墨点併記」（第１処理モード）、「２．墨字のみ」（第２処理モード）、「３．点字のみ」（第３処理モード）の選択肢のいずれかを選択できる（画面遷移直後は前回指定の選択肢をデフォルトとしてカーソル指定して表示：初期設定は「１．墨点併記」）。なお、以下の各種の選択画面においても、基本的に画面遷移直後は前回指定の選択肢をデフォルトとしてカーソル指定して表示するものとして説明は省略し、適宜初期設定のみ付記する。
【００８９】
ここでは、上記の状態で（Ｄ１２）、「１．墨点併記」がカーソル指定されてエンターキーの押下により選択（以下単に「選択確定」という）されたとすると、ラベルモード（処理モード）として「１．墨点併記」（第１処理モード）を設定して、文字情報入力状態に戻る（Ｄ１３：Ｄ１１と同じ：図７ではＳ１２の状態）。
【００９０】
図１１（ａ）に示すように、この状態で（Ｄ１３：図１０と共通：図７ではＳ１２の状態）、ユーザにより印刷キーが押されると（図７で前述の印刷割込（ＩＮＴ３）が発生して）、墨字レイアウト（印刷配置部Ｅｐの配置）を確認または指定するための選択画面に移行する（Ｄ１４：図１０と共通：図７のＳ１４Ｂ）。この状態では、「１．従点字配置」「２．他指定」のいずれかを選択でき（初期設定は「１．従点字配置」）、ここでは、「１．従点字配置」が選択確定されたとすると、墨字レイアウトとして「１．従点字配置」を設定して、印刷等の処理開始直前の最終確認画面に移行する（Ｄ１５）。
【００９１】
この状態で、ユーザは、内容を確認後、「ＯＫ」であればエンターキー押下により、印刷処理に移行させることができる。この場合、「墨字３０．０（点字）」は、墨字のみの場合の印刷配置部長さＰＬ＝３０．０ではあるが、点字の民間仕様の配置に従う「従点字配置」を行う旨を示す。また、「点字４９．２（共通）」は、本来の点字のみの場合の打刻配置部長さＢＬ＝４９．２であり、これによって、共通配置部長さＣＬが決定されている旨を示し、「共通４９．２」はその結果を示すものである。
【００９２】
ここでは、上記の状態から（Ｄ１５）、印刷処理に移行したとすると、その後は、墨点併記（第１処理モード）なので図７および図８（ａ）で前述のように、図１２（ｂ）の画像Ｇｐ０のように（墨字印刷データＧｐ０に従って）墨字印刷を行った後（Ｓ１５）、印刷テープ排出口２２からテープＴを排出し（Ｓ１６）、テープ挿入指示を表示し（Ｓ１７）、ユーザによりテープＴが手差し挿入されると、図１２（ａ）の画像Ｇｂ０のように（点字打刻データＧｂ０に従って）点字打刻を行った後（Ｓ１８）、打刻テープ排出口３２から打刻済みテープＴを排出し（Ｓ１９）、処理を終了する（Ｓ２７）。これにより、図１２（ｃ）の外観Ｇ００のように墨字／点字を併記した（墨点併記の）ラベルＬ００を作成できる。なお、テープ幅２４ｍｍで点字下段且つ墨点並行（点字下段並行）の場合であれば、図１６（ｃ）のようなラベルＬ０１を作成できる。
【００９３】
次の（第２）操作例では、例えば図１０で前述の「おおいとせん」が入力され未確定のテキスト編集画面表示の状態で（Ｄ１０）、ユーザにより変換キーが押されると、漢字変換により「大糸線」の未確定入力状態となり（Ｄ２０）、この状態で、エンターキーが押されると、「大糸線」を確定状態にするとともに、その時点の各種設定に従って３つの処理モードのそれぞれの場合のラベル長さを、設定情報として表示する（Ｄ２１）。
【００９４】
ここで、第２処理モード（墨字のみ）の場合の印刷配置部長さＰＬは、例えば図１３（ｂ）に示すように、「大糸線」の文字数Ｎｐ＝３等（Ｐｗ＝８．０、Ｐｓ＝２．０、Ｍｐ＝１．０）として、ＰＬ＝３０．０［ｍｍ］となる。なお、印刷配置部長さＰＬ＝３０．０を先に設定して（図１５参照）、文字数Ｎｐ＝３等により均等に割り付けて、文字幅Ｐｗ＝８．０等を自動決定しても良い。ただし、この操作例の場合も、「おおいとせん」の６文字に相当する点字の打刻配置部長さＢＬ＝４９．２の方が印刷配置部長さＰＬ＝３０．０より大きいので（図１３（ａ）と同図（ｂ）とを比較参照）、前述の（３）式より、第１処理モード（墨点併記）の共通配置部長さＣＬ＝４９．２［ｍｍ］となる。
【００９５】
図１０に戻って、「大糸線」の入力確定後の状態では（Ｄ２１）、その時点の各種設定に従って、印刷配置部長さＰＬ＝３０．０ｍｍより「墨字３０．０」、打刻配置部長さＢＬ＝４９．２ｍｍより「点字４９．２」、共通配置部長さＣＬ＝４９．２ｍｍより「共通４９．２」を表示する。
【００９６】
この状態で（Ｄ２１：図７のＳ１２）、ユーザによりモードキーが押されると（図７のモード選択割込（ＩＮＴ１））、ラベルモードの選択画面に移行する（Ｄ２２：図７のＳ１３）。ここでは、カーソル操作によって「１．墨点併記」→「２．墨字のみ」にカーソル指定が変更され（Ｄ２３）、その状態で選択確定されたとすると、ラベルモード（処理モード）として「２．墨字のみ」（第２処理モード）を設定して、文字情報入力状態に戻る（Ｄ２４：Ｄ２１と同じ：図７ではＳ１２の状態）。
【００９７】
図１１（ｂ）に示すように、この状態で（Ｄ２４：図１０と共通）、印刷キーが押されると（図７の印刷割込（ＩＮＴ３））、処理開始前の最終確認画面に移行するので（Ｄ２５：図７のＳ１４Ｂ）、「ＯＫ」であれば、印刷処理に移行できる。この場合、「墨字３０．０（単独）」は、本来の墨字のみの場合の印刷配置部長さＰＬ＝３０．０を示し、ここでは「点字４９．２（無し）」で点字打刻無しなので、印刷処理に移行すると、その後は、墨字のみ（第２処理モード）について図７および図８（ｂ）で前述のように、図１３（ｂ）の画像（墨字印刷データ）Ｇｐ１に従って墨字印刷を行って（Ｓ２０〜Ｓ２１）、処理を終了する（Ｓ２７）。この場合、墨字のみなので、そのまま墨字印刷結果のラベルＬ０２となる（図１３（ｂ）参照）。
【００９８】
なお、上述のラベルモードの選択画面（図１０のＤ２３：図７のＳ１３）から、さらに「２．墨字のみ」→「３．点字のみ」にカーソル指定変更され、その状態で選択確定されたとすると、ラベルモード（処理モード）として「３．点字のみ」（第３処理モード）を設定して、文字情報入力状態に戻り（図７ではＳ１２の状態）、この状態で印刷キーが押されると（図７の印刷割込（ＩＮＴ３））、処理開始前の最終確認画面に移行する（図７ではＳ１４Ｂの状態）。
【００９９】
この場合、表示は例えば「墨字３０．０（無し）」「点字４９．２（単独）」となり、墨字印刷無しなので、この状態から後は、点字のみ（第３処理モード）について図７および図８（ｃ）で前述のように、必要に応じて空印刷〜テープＴ排出（Ｓ２２〜Ｓ２３）の後、テープ挿入指示を表示し（Ｓ２４）、テープＴが手差し挿入されると、図１３（ａ）の画像（点字打刻データ）Ｇｂ０に従って点字打刻を行って（Ｓ２５〜Ｓ２６）、処理を終了する（Ｓ２７）。この場合、点字のみなので、そのまま点字打刻結果のラベルＬ０３となる（図１３（ａ）参照）。
【０１００】
次に、図１１（ｃ）に示すように、図１０で上述のラベルモードの選択画面で（Ｄ２２：図１０と図１１で共通：図７のＳ１３）、そのまま「１．墨点併記」が選択確定されると、ラベルモード（処理モード）として「１．墨点併記」（第１処理モード）を設定して、文字情報入力状態に戻り（Ｄ３０：Ｄ２１と同じ：図７ではＳ１２の状態）、この状態で印刷キーが押されると（図７の印刷割込（ＩＮＴ３））、印刷配置部Ｅｐの割付（配置）を指定するための選択画面（墨字割付の選択画面）に移行する（Ｄ３１：図７のＳ１４Ｂ）。
【０１０１】
この状態から（Ｄ３１）、「１．前寄せ」「２．中央」（中央寄せ：センタリング）、「３．後寄せ」「４．均等」のいずれかを選択でき（Ｄ３１〜Ｄ３３：初期設定はＤ３１の「１．前寄せ」）、ここでは、「４．均等」（均等配置）が選択確定されたとすると、墨字割付として「４．均等」を設定して、最終確認画面に移行する（Ｄ３４）。
【０１０２】
この場合、表示は例えば「墨字３０．０（均等）」「点字４９．２（共通）」「共通４９．２」となる。この場合の「墨字３０．０（均等）」は、本来の墨字のみの場合の印刷配置部長さＰＬ＝３０．０ではあるが（墨字のみの場合では図１３（ｂ）のように印刷されるが）、「点字４９．２（共通）」「共通４９．２」に示されるように、例えば図１４（ａ）（図１２（ａ）、図１３（ａ）と同じ）の画像（点字打刻データ）Ｇｂ０に従った点字打刻が行われるのに対して、その共通配置部長さＣＬ＝４９．２内に、図１４（ｅ）の画像（墨字印刷データ）Ｇｐ１４に従った墨字印刷を行う旨を示す。
【０１０３】
同様に、図１１で上述の状態から（Ｄ３１〜Ｄ３３）、「１．前寄せ」が選択確定されたとすると、墨字割付として「１．前寄せ」を設定して、最終確認画面に移行し、表示は例えば「墨字３０．０（前寄せ）」「点字４９．２（共通）」「共通４９．２」となる。この場合の「墨字３０．０（前寄せ）」は、印刷配置部長さＰＬ＝３０．０の部分を全体に「前寄せ」して割り付けて、例えば図１４（ａ）の画像Ｇｂ０の点字打刻に対して、その共通配置部長さＣＬ＝４９．２内に、図１４（ｂ）の画像Ｇｐ１１の墨字印刷を行う旨を示す。
【０１０４】
他も同様であり、図１１で上述の状態から（Ｄ３１〜Ｄ３３）、「２．中央」や「３．後寄せ」が選択確定されると、墨字割付として「２．中央」や「３．後寄せ」を設定して、最終確認画面に移行し、「墨字３０．０（中央）」や「墨字３０．０（後寄せ）」が、「点字４９．２（共通）」「共通４９．２」とともに表示される。これらの場合の「墨字３０．０（中央）」や「墨字３０．０（後寄せ）」は、印刷配置部長さＰＬ＝３０．０の部分を全体に「中央寄せ」（センタリング）や「後寄せ」で割り付けて、例えば図１４（ａ）の画像Ｇｂ０の点字打刻に対して、その共通配置部長さＣＬ＝４９．２内に、図１４（ｃ）の画像Ｇｐ１２や同図（ｄ）の画像Ｇｐ１３の墨字印刷を行う旨を示す。
【０１０５】
ここで、例えば上記の「１．前寄せ」が選択確定された場合の「墨字３０．０（前寄せ）」「点字４９．２（共通）」「共通４９．２」を表示する最終確認画面の状態から印刷処理に移行したとすると、墨点併記なので、図１４（ｂ）の画像Ｇｐ１１の墨字印刷を行った後（図７のＳ１５〜Ｓ１６）、テープ挿入指示を表示し（Ｓ１７）、テープＴが手差し挿入されると、図１４（ａ）の画像Ｇｂ０の点字打刻を行って（Ｓ１８〜Ｓ１９）、処理を終了する（Ｓ２７）。
【０１０６】
これにより、例えばテープ幅２４ｍｍで点字下段並行の場合であれば、図１６（ａ）のようなラベルＬ１０を作成できる。他の割付の選択肢「２．中央」「３．後寄せ」「４．均等」が選択確定された場合についても同様であり、例えば上記の図１６（ａ）の画像Ｇｐ１１を、対応する図１４（ｃ）（ｄ）（ｅ）の画像Ｇｐ１２、Ｇｐ１３、Ｇｐ１４に置き換えたようなラベルを作成できる（「４．均等」の場合：図２０（ａ）の「墨字均等」のラベルＬ４Ｓ参照）。
【０１０７】
なお、図１１（ａ）で前述の（例えば「おおいとせん」等の）仮名文字列の場合にも、前述の墨字レイアウトの選択画面において（Ｄ１４）、「２．他指定」が選択確定されたときには、上記と同様に、墨字割付の選択画面に移行するので（Ｄ３１〜Ｄ３３）、「１．前寄せ」「２．中央」「３．後寄せ」「４．均等」のいずれかを選択して設定でき、これにより、設定された割付に従ったラベルを作成できる。
【０１０８】
次の（第３）操作例では、図１５に示すように、例えば図１０で前述の「大糸線」の入力確定後の状態では（Ｄ２１：図１０と図１５で共通）、印刷配置部長さＰＬ＝３０．０ｍｍより「墨字３０．０」、打刻配置部長さＢＬ＝４９．２ｍｍより「点字４９．２」、共通配置部長さＣＬ＝４９．２ｍｍより「共通４９．２」を表示しているが、この状態から、ユーザによりレイアウトキーが押されると（図７のレイアウト設定割込（ＩＮＴ２））、レイアウト設定画面に移行する（Ｄ４０〜Ｄ４８Ｓ：図７のＳ１４Ａ）。
【０１０９】
ここでは、まず、最初の設定画面として、点字打刻位置の設定画面に移行する（Ｄ４０）。選択肢として、点字を上段（墨字に対して上側）に配置する「１．上段」（点字上段：図９（ａ）の（ａ−２）参照）と、点字を下段（墨字に対して下側）に配置する「２．下段」（点字下段：図９（ａ）の（ａ−１）参照）と、を表示するので、ユーザはカーソル操作によっていずれかを選択でき（初期設定は「２．下段」（点字下段））、ここでは、「１．下段」が選択確定されたとすると、点字配置として「点字下段」を設定して、次に、墨字・点字の配置方法の設定画面（墨点配置設定画面）に移行する（Ｄ４１）。
【０１１０】
この墨点配置設定画面では（Ｄ４１）、選択肢として、墨字と点字とを並行に配置する「１．墨点並行」と、墨字と点字とを重ねる「２．墨点重ね」と、を表示するので（初期設定は「１．墨点並行」）、ここでは、「１．墨点並行」が選択確定されたとすると、墨字・点字の配置方法として「墨点並行」を設定して、次に、墨字配置指定画面に移行する（Ｄ４２）。
【０１１１】
この墨字配置指定画面では（Ｄ４２）、選択肢として、墨字印刷の配置に関連する各種の指定を行う「１．指定有り」と、指定を行わない（設定変更をしない）「２．指定無し」と、を表示するので（初期設定は「２．指定無し」）、ここでは、「２．指定無し」が選択確定されたとすると、墨字配置の「指定無し」を設定して、次に、点字配置指定画面に移行する（Ｄ４３）。
【０１１２】
この点字配置指定画面においても（Ｄ４３）、上述の墨字配置指定画面（Ｄ４２）と同様に、選択肢として、点字打刻の配置に関連する各種の指定を行う「１．指定有り」と、指定を行わない（設定変更をしない）「２．指定無し」と、を表示するので（初期設定は「２．指定無し」）、ここでは、「２．指定無し」が選択確定されたとすると、点字配置の「指定無し」を設定して、文字情報入力状態に戻る（図示とは異なり図１０または図１５のＤ２１：図７ではＳ１２の状態）。
【０１１３】
次に、例えば図１５で上記の墨字配置指定画面において（Ｄ４２）、選択肢として、「１．指定有り」（Ｄ４４）が選択確定されると、墨字配置の「指定有り」（設定変更有り）を設定して、次に、墨字配置長さ（＝印刷配置部長さＰＬ）の指定画面（墨字配置長さ指定画面）に移行する（Ｄ４５）。
【０１１４】
この墨字配置長さ指定画面では（Ｄ４５）、選択肢として、墨字印刷の配置長さの指定を行わない（設定変更をしない）「１．指定無し」と、墨字配置長さを数値により直接指定する「２．数値入力」、墨字配置長さを選択肢から選択して指定する「３．定型サイズ選択」を表示するので（初期設定は「１．指定無し」）、ここでは、「２．数値入力」が選択確定されたとすると、「数値入力」を設定して、次に、墨字配置長さの数値入力画面に移行する（Ｄ４６）。
【０１１５】
この墨字配置長さ数値入力画面では（Ｄ４６）、キーボード３の数値キーを操作して数値を直接入力でき、例えば［７２．０］と入力すると、墨字配置長さ７２．０ｍｍを直接入力でき（Ｄ４７）、この状態で、エンターキーが押下されると、印刷配置部長さＰＬ＝７２．０ｍｍが設定され、次に、各種の設定画面に移行する（Ｄ４８Ｓ）。
【０１１６】
この各種の設定画面（Ｄ４８Ｓ）については、詳細は省略するが、例えば文字の「書体」「行数」「割付」「文字サイズ」「文字装飾」「余白」（前、後、文字間等を含む）など、一般的なテープ印刷装置やワープロ等と同様の設定が可能になっている。そして、これら各種の設定が終了して、エンターキーにより確定されると、墨字配置指定画面（Ｄ４２）の「１．指定有り」の各種指定を設定して、次に、点字配置指定画面に移行する（Ｄ４３）。
【０１１７】
次に、上記の墨字配置長さ指定画面において（Ｄ４５）、「３．定型サイズ選択」が選択確定されると、「定型サイズ選択」を設定して、次に、定型サイズの選択画面に移行する（図示省略）。
【０１１８】
この定型サイズ選択画面では、例えば「Ａ４ファイル横」「Ｂ５ファイル横」等の事務ファイル用のラベルサイズ（ラベル長さ）、「ＶＨＳ背」「ＶＨＳ表面」などのビデオ等用のラベル長さ、「ＦＤ」「ＭＤ」「ＣＤ１２ｃｍ」「ＣＤ８ｃｍ」「ＤＶＤ」などの各種記録媒体用のラベル長さ、これら記録媒体のそれぞれのケース（「ＦＤケース背」「ＦＤケース表面」等）のラベル長さ、などの選択肢を表示するので（初期設定は「ＦＤ」）、ユーザは、カーソル操作とエンターキー押下によりのいずれかを選択確定できる。選択確定後には、各種の設定画面に移行する（Ｄ４８Ｓ）。
【０１１９】
また、上記の墨字配置長さ指定画面において（Ｄ４５）、「１．指定無し」が選択確定されると、「指定無し」なので、長さの指定を変更せずに、直接、各種の設定画面に移行する（Ｄ４８Ｓ）。
【０１２０】
ここで、例えば前述のように現在の墨字配置長さ（＝印刷配置部長さＰＬ）＝３０．０ｍｍとし、上記の墨字配置長さ指定画面において（Ｄ４５）、「１．指定無し」が選択確定され、上記の各種の設定画面において（Ｄ４８Ｓ）、例えば文字幅Ｐｗ＝４．０等や割付＝前寄せなどが設定されると、まず、「大糸線」の文字数Ｎｐ＝３なので、ＰＬ＝１６．０［ｍｍ］となる。なお、印刷配置部長さＰＬ＝１６．０ｍｍを直接設定して、文字数Ｎｐ＝３等により文字幅Ｐｗ＝４．０等を自動決定しても良い。
【０１２１】
この場合、文字情報入力状態に戻り、前述同様に印刷キーが押されると（図７の印刷割込（ＩＮＴ３））、テープ幅２４ｍｍで点字下段並行の場合であれば、上述の「前寄せ」が設定されているので、図１６（ａ）で前述のラベルＬ１０に代わって、同図（ｂ）の画像Ｇｐ１５による墨字印刷が行われ、ラベルＬ１１が作成される。
【０１２２】
また、例えば図１５で前述の墨点配置設定画面において（Ｄ４１）、「２．墨点重ね」が選択確定されると、テープ幅２４ｍｍ等では、点字と重ねられる分だけ大きな文字サイズを指定できるので、上記の各種の設定画面において（Ｄ４８Ｓ）、例えば図１７に示すように、文字幅Ｐｗ＝８．０等や割付＝均等などが設定され、且つ、テープ幅２４ｍｍのときの文字高Ｐｔ＝１６．０ｍｍ、テープ幅１８ｍｍのときの文字高Ｐｔ＝１２．０ｍｍ、テープ幅１２ｍｍのときの文字高Ｐｔ＝８．０ｍｍが設定され、文字情報入力状態に戻ってから前述同様に印刷キーが押されると（図７の印刷割込（ＩＮＴ３））、テープ幅に応じてそれぞれ図１７（ａ）〜（ｃ）に示す墨字印刷および点字打刻が行われ、ラベルＬ２０〜Ｌ２２が作成される。
【０１２３】
また、図１７で上述の設定において、Ｐｓ＝２．０、Ｍｐ＝１．０ｍｍ、割付＝前寄せ、に設定を変更し、他は同設定とすると、テープ幅２４ｍｍに対して、図１８（ａ）に示す墨字印刷および点字打刻が行われ、ラベルＬ３０が作成される。同様に、割付＝前寄せ→中央、の分のみ設定変更すると、図１８（ｂ）に示す墨字印刷および点字打刻のラベルＬ３１が作成され、割付＝前寄せ→後寄せ、の分のみ設定変更すると、図１８（ｃ）に示す墨字印刷および点字打刻のラベルＬ３２が作成される。
【０１２４】
次に、例えば図１５で上記の点字配置指定画面において（Ｄ４３）、「１．指定有り」が選択確定されると、点字配置の「指定有り」を設定して、次に、墨字配置の場合と同様に、点字配置長さ（＝打刻配置部長さＢＬ）の指定画面（点字配置長さ指定画面）に移行し（図示省略：同様なのでＤ４５〜Ｄ４７参照）、「１．指定無し」「２．数値入力」「３．定型サイズ選択」のいずれかを選択して処理するとともに、墨字の場合の各種の設定画面（Ｄ４８Ｓ）と同様に、民間仕様でなくても配置できるように、「余白」や「割付」や「点（打刻ポイント）サイズ」や「点間ピッチ」（Ｍ１４やＭ４１等）などの各種サイズを含み、点字の配置に関連する各種の設定が可能になっている。
【０１２５】
次の（第４）操作例では、例えば図１５で前述の各種の設定画面において（Ｄ４８Ｓ）、例えば図１３（ｄ）に示すように、文字幅Ｐｗ＝１６．０等や割付＝均等などが設定されると、まず、「大糸線」の文字数Ｎｐ＝３なので、ＰＬ＝７２．０［ｍｍ］となる。なお、印刷配置部長さＰＬ＝７２．０ｍｍを直接設定して、文字幅Ｐｗ＝１６．０等を自動決定しても良い。
【０１２６】
なお、仮名文字列「おおいとせん」の墨字印刷の場合、同様に、各種の設定画面において（Ｄ４８Ｓ）、例えば図１３（ｅ）に示すように、文字幅Ｐｗ＝８等や割付＝均等、などが設定されると、まず、「おおいとせん」の文字数Ｎｐ＝６なので、ＰＬ＝７２．０［ｍｍ］となる。なお、印刷配置部長さＰＬ＝７２．０ｍｍを直接設定しても良い。
【０１２７】
そして、上述の各種の設定画面（Ｄ４８Ｓ）等における各種の設定が終了して、ユーザによるエンターキー押下により確定されると、墨字配置指定画面（Ｄ４２）の「１．指定有り」の各画面（Ｄ４５〜Ｄ４８Ｓ）において指定・設定された各種指定値等を設定（記録、格納）して、次に、点字配置指定画面に移行する（Ｄ４３）。
【０１２８】
次の点字配置指定画面においても（Ｄ４３）、「１．指定有り」または「２．指定無し」のいずれかが選択確定され、「１．指定有り」のときには上述の墨字配置指定画面（Ｄ４２）と同様に各種の指定・設定が終了した後、文字情報入力状態に戻る（Ｄ５０：図１５と図１９で共通：図７ではＳ１２の状態）。
【０１２９】
ただし、ここでは、印刷配置部長さＰＬ＝７２．０ｍｍより「墨字７２．０」、打刻配置部長さＢＬ＝４９．２ｍｍより「点字４９．２」を表示する。また、この場合、「おおいとせん」の６文字に相当する点字の打刻配置部長さＢＬ＝４９．２より、印刷配置部長さＰＬ＝７２．０の方が大きいので（図１３（ａ）と同図（ｄ）（ｅ）とを比較参照）、前述の（３）式より、第１処理モード（墨点併記）の共通配置部長さＣＬ＝７２．０［ｍｍ］となる。このため、「共通７２．０」を表示する。
【０１３０】
図１９（ａ）に示すように、この状態で（Ｄ５０：図１５と共通）、ユーザにより印刷キーが押されると（図７の印刷割込（ＩＮＴ３））、ここでは、印刷配置部Ｅｐでなく、打刻配置部Ｅｂの割付（配置）を指定するための選択画面（点字割付選択画面）に移行する（Ｄ５１：図７のＳ１４Ｂ）。この状態から、「１．前寄せ」「２．中央」「３．後寄せ」のいずれかを選択でき（Ｄ５１〜Ｄ５２：初期設定はＤ５１の「１．前寄せ」）、ここでは、「３．後寄せ」が選択確定されたとすると、点字割付として「３．後寄せ」を設定して、最終確認画面に移行する（Ｄ５３）。
【０１３１】
この場合、表示は例えば「墨字７２．０（共通）」「点字４９．２（後寄せ）」「共通７２．０」となる。この場合の「点字４９．２（後寄せ）」は、本来の点字のみの場合の打刻配置部長さＢＬ＝４９．２ではあるが（点字のみの場合では図１３（ａ）のように打刻されるが）、「墨字７２．０（共通）」「共通７２．０」に示されるように、例えば図１３（ｄ）の画像Ｇｐ３の墨字印刷、あるいは図１３（ｅ）の画像Ｇｐ４の墨字印刷、が行われるのに対して、その共通配置部長さＣＬ＝７２．０内に、例えば図１３（ａ）の画像Ｇｂ０の点字打刻を行う旨を示す。なお、以下では、代表して、図１３（ｄ）の「大糸線」の側の墨字印刷を使用して説明する。
【０１３２】
ここで、例えば上記の「墨字７２．０（共通）」「点字４９．２（後寄せ）」「共通７２．０」を表示する最終確認画面の状態から（Ｄ５３）、印刷処理に移行したとすると、その後は、墨点併記なので、図１３（ｄ）の墨字印刷を行った後（図７のＳ１５〜Ｓ１６）、例えば図２０に示すように、同図（ｄ）の画像Ｇｂ３３の点字打刻を行い（Ｓ１７〜Ｓ１９）、処理を終了する（Ｓ２７）。
【０１３３】
これにより、例えばテープ幅２４ｍｍで点字下段並行（墨字均等）の場合であれば、図２０（ｄ）のようなラベルＬ４２を作成できる。他の割付の選択肢「１．前寄せ」「２．中央」が選択確定された場合についても同様であり、例えば上記の図２０（ｄ）の画像Ｇｂ３３を、同図（ｂ）（ｃ）の画像Ｇｂ３１、Ｇｂ３２に置き換えて、ラベルＬ４０、Ｌ４１を作成できる（共通配置部長さＣＬ＝４９．２で他は同一の点字下段並行（墨字均等）の場合のラベルＬ４Ｓ（同図（ａ）と比較参照）。
【０１３４】
また、前述の図１８の例と同様に、「墨点重ね」でテープ幅２４ｍｍ等の場合、点字と重ねられる分だけ大きな文字サイズを指定できるので、上記の各種の設定画面において（Ｄ４８Ｓ）、文字幅Ｐｗ＝１６．０等や割付＝均等などが設定され、文字情報入力状態に戻ってから前述同様に印刷キーが押されると（図７の印刷割込（ＩＮＴ３））、点字の割付の選択肢「１．前寄せ」「２．中央」「３．後寄せ」に対応して、図２１（ａ）〜（ｃ）に示す墨字印刷および点字打刻が行われ、ラベルＬ５０〜Ｌ５２が作成される。
【０１３５】
次の（第５）操作例では、例えば図１５で前述の墨字配置長さ指定画面において、墨字配置長さ（＝印刷配置部長さＰＬ）＝７２．０ｍｍを先に設定しておく（Ｄ４５〜Ｄ４７）。この状態から、前述の各種の設定画面において（Ｄ４８Ｓ）、例えば図１３（ｂ）に示すように、文字幅Ｐｗ＝４．０等や割付＝前寄せなどが設定されると、「大糸線」の文字数Ｎｐ＝３なので、ＰＬ＝３０．０［ｍｍ］となる。
【０１３６】
ただし、ここでは、割付＝前寄せなので、この割付（前寄せ）のために印刷配置部長さＰＬ＝３０．０を残しつつ、割付対象の（墨字配置長さとして予め設定した）長さを、仮の共通配置部長さＣＬ＝７２．０として設定する。なお、上述の（１）式より算出した値（ここでは３０．０）が、仮に墨字配置長さとして設定した長さ（ここでは７２．０）より大きい場合には（ここでは不成立）、その旨のエラー報知を行う（いずれかを印刷配置部長さＰＬとして選択可能にしても良い）。
【０１３７】
そして、各種の設定画面（Ｄ４８Ｓ）等における各種の設定が終了して、確定されると、各画面（Ｄ４５〜Ｄ４８Ｓ）において指定・設定された各種指定値等を設定（記録、格納）して、次に、点字配置指定画面に移行する（Ｄ４３）。
【０１３８】
次の点字配置指定画面においても（Ｄ４３）、「１．指定有り」または「２．指定無し」のいずれかが選択確定され、「１．指定有り」のときには、各種の指定・設定を行う（図示省略）。
【０１３９】
ここで、例えば上述の墨字配置と同様に、点字配置長さとして設定した長さが、各種の設定画面における詳細設定に基づいて前述の（２）式により算出される打刻配置部長さＢＬと異なる場合（算出値より大きい場合）であって、且つ、上述の墨字配置指定により仮設定された共通配置部長さＣＬ（＝７２．０）より大きい場合には、新たな共通配置部長さＣＬとして設定する。
【０１４０】
すなわち、結果的に、墨字配置長さとして直接設定した値と、（１）式による墨字配置の算出値と、点字配置長さとして直接設定した値と、（２）式による点字配置の算出値と、の全ての最大値が、共通配置部長さＣＬとして設定される。なお、ここでは、結果として設定された共通配置部長さＣＬ＝７２．０とする。
【０１４１】
そして、点字配置指定画面においても（Ｄ４３）、「２．指定無し」または各種の指定・設定が終了した後、文字情報入力状態に戻る（Ｄ６０：図１５と図１９で共通：図７ではＳ１２の状態）。ここでは、印刷配置部長さＰＬ＝３０．０ｍｍより「墨字３０．０」（ただし、割付＝前寄せは内部で設定済み）、打刻配置部長さＢＬ＝４９．２ｍｍより「点字４９．２」、共通配置部長さＣＬ＝７２ｍｍより「共通７２．０」を表示する。
【０１４２】
図１９（ｂ）に示すように、この状態で（Ｄ６０：図１５と共通）、ユーザにより印刷キーが押されると（図７の印刷割込（ＩＮＴ３））、ここでは、印刷配置部Ｅｐでなく共通配置部Ｅｃ（＝ＭＡＸ［Ｅｂ，Ｅｐ］：図１２（ｃ）、図１６（ｃ）参照）に対して、打刻配置部Ｅｂの割付（配置）を指定するための選択画面（点字割付選択画面）に移行する（Ｄ６１：図７のＳ１４Ｂ）。
【０１４３】
ここでの表示は、墨字側（上側）に「共通７２．０（前寄せ）」、点字側（下側）に「点字４９．２（前寄せ）」とし、墨字配置は既に（前寄せに）設定済みで、共通配置部長さＣＬ＝７２．０ｍｍの共通配置部Ｅｃに対して、打刻配置部長さＢＬ＝４９．２ｍｍの割付け（最初の候補は「前寄せ」）を行うことを示す。仮に点字配置が既に（前寄せに）設定済みで、墨字配置側を配置する場合には、墨字側（上側）に「墨字３０．０（前寄せ）」、点字側（下側）に「共通７２．０（前寄せ）」と表示する（図１１のＤ３１を比較参照）。
【０１４４】
この状態から（Ｄ６１）、ユーザは、カーソル操作によって、「１．前寄せ」「２．中央」「３．後寄せ」ののいずれかを選択でき（Ｄ６１〜Ｄ６２：初期設定はＤ６１の「１．前寄せ」）、ここでは、図１９（ａ）と同様に「３．後寄せ」が選択確定されたとすると、点字割付として「３．後寄せ」を設定して、最終確認画面に移行する（Ｄ６３）。この場合、表示は例えば「墨字３０．０（前寄せ）」「点字４９．２（後寄せ）」「共通７２．０」となる。
【０１４５】
この最終確認画面の状態から（Ｄ６３）、印刷処理に移行したとすると、その後は、墨点併記なので、例えば図２２（ｃ）に示すように、図１３（ｂ）の画像Ｇｐ３を「前寄せ」した画像Ｇｐ６の墨字印刷を行った後（図７のＳ１５〜Ｓ１６）、図２２（ｃ）の画像Ｇｂ６２（図２０のＧｂ３３、図２１のＧｂ５２と同じ）の点字打刻を行い（Ｓ１７〜Ｓ１９）、処理を終了する（Ｓ２７）。
【０１４６】
これにより、例えばテープ幅２４ｍｍで点字下段並行（墨字前寄せ）の場合であれば、図２２（ｃ）のようなラベルＬ６２を作成できる。他の割付の選択肢「１．前寄せ」「２．中央」の場合も同様であり、例えば上記の図２２（ｃ）の画像Ｇｂ６２を、同図（ａ）（ｂ）の画像Ｇｂ６０、Ｇｂ６１（それぞれ図２０の画像Ｇｂ３１、Ｇｂ３２と同じ）に置き換えて、ラベルＬ６０、Ｌ６１を作成できる。
【０１４７】
また、例えばテープ幅１２ｍｍの場合、上記図２１と対応して図２３に示すように、墨字の画像Ｇｐ７（上記図２２の墨字の画像Ｇｐ６と同じ）と、各点字の画像Ｇｂ７０〜Ｇｂ７２（それぞれ図２０の画像Ｇｂ３１〜Ｇｂ３３と同じ）とを重ねたラベルＬ７０〜７２を作成できる。
【０１４８】
なお、図１１や図１９で上述の印刷キー押下後の処理は、図７の印刷割込（ＩＮＴ３）後のレイアウト設定Ｂ（Ｓ１４Ｂ）に相当し、図１５で上述のレイアウトキー押下後の処理は、図７のレイアウト設定Ａ（Ｓ１４Ａ）に相当する。
【０１４９】
ここで、図１１や図１９で上述の設定は主に共通配置部Ｅｃに対する墨字または点字の割付（印刷配置部Ｅｐまたは打刻配置部Ｅｂの配置）に関する設定（Ｄ１４、Ｄ３１〜Ｄ３３、Ｄ５１〜Ｄ５２、Ｄ６１〜Ｄ６２）であったが、この代わりに、図１５で上述の墨字配置指定（Ｄ４２：ここではＤ４３〜Ｄ４８Ｓを含む）や点字配置指定（Ｄ４３：ここでは墨字のＤ４３〜Ｄ４８Ｓに相当する分を含む）において、図７のレイアウト設定Ａ（Ｓ１４Ａ）として予め設定しても良い。また、逆に図１５で行った各種設定（特に割付に関する設定：墨字に関するＤ４２〜Ｄ４８Ｓとそれに相当する点字側の設定）の一部を、図７のレイアウト設定Ｂ（Ｓ１４Ｂ）として行うようにすることもできる。
【０１５０】
また、上述した実施形態のラベル作成装置１において採用された文字情報処理装置の機能あるいはそれらによる各種処理方法（情報処理方法：共通配置部設定方法、情報報知方法など）は、ラベル作成装置１ばかりでなく、プログラム処理可能な各種の装置によって処理されるプログラムとして適用でき、その種のプログラムを記憶するための例えばＣＤ、ＭＤ、ＤＶＤ等の記憶媒体にも適用でき、この種のプログラムを記憶しておいて、あるいは記憶媒体等から読み出して、実行することにより、点字打刻の民間仕様を知らなくても、テープ内の共通配置部に、点字打刻に対応する墨字印刷を所望通り見栄え良く配置できる。もちろん、その他、要旨を逸脱しない範囲で、適宜変更も可能である。
【図面の簡単な説明】
【０１５１】
【図１】実施形態に係るラベル作成装置の外観斜視図。
【図２】図１のラベル作成装置の開蓋状態の外観斜視図。
【図３】図１のラベル作成装置の制御系の概略ブロック図。
【図４】６点点字の説明図および打刻凸部の断面図。
【図５】打刻ユニットの平面図および断面図。
【図６】点字打刻部におけるテープの搬送を説明する説明図。
【図７】ラベル作成装置の全体処理のフローチャート。
【図８】図７の処理モードに関する補足説明図。
【図９】図７のテープ幅の相違に関する補足説明図。
【図１０】ラベル作成時の表示画面上での操作例の説明図。
【図１１】図１０に続き、印刷指示時の図１０と同様の説明図。
【図１２】民間仕様による墨点併記時のラベル作成例の説明図。
【図１３】打刻配置長さに対する印刷配置部長さの例の説明図。
【図１４】共通配置部に対する墨字印刷の割付例を示す説明図。
【図１５】レイアウト設定指示時の、図１１と同様の説明図。
【図１６】墨点並行で墨字割付例に基づくラベル作成例の説明図。
【図１７】墨点重ねで墨字均等割付時のラベル作成例の説明図。
【図１８】墨点重ねで他の墨字割付時のラベル作成例の説明図。
【図１９】別の一例を示す、図１１と同様の説明図。
【図２０】墨点並行で点字割付時のラベル作成例の説明図。
【図２１】墨点重ねで点字割付時のラベル作成例の説明図。
【図２２】墨点並行・墨字前寄せで点字割付時のラベル作成例の説明図。
【図２３】最小テープ幅時の図２２に対応するラベル作成例の説明図。
【符号の説明】
【０１５２】
１…ラベル作成装置  ２…装置ケース  ３…キーボード  ４…ディスプレイ  ７…印刷ヘッド  １１０…操作部  １２０…墨字印刷部  １４０…切断部  １５０…点字打刻部  １７０…検出部  １８０…駆動部  ２００…制御部  Ｂ…点字  ＢＬ…打刻配置部長さ（打刻部長さ）  Ｃ…テープカートリッジ  ＣＬ…共通配置部長さ（領域長）  Ｅｂ…点字打刻領域（打刻配置部、打刻部）  Ｅｃ…共通配置部（共通処理領域）  Ｅｐ…墨字印刷領域（印刷配置部、印刷部）  Ｇｘｘ…画像  Ｌｘｘ…ラベル  Ｐ…墨字  ＰＬ…印刷配置部長さ（印刷部長さ）  Ｔ、Ｔ１、Ｔ２、Ｔ３……テープ
【図１】
2006001131.tif 000003
【図２】
2006001131.tif 000004
【図３】
2006001131.tif 000005
【図４】
2006001131.tif 000006
【図５】
2006001131.tif 000007
【図６】
2006001131.tif 000008
【図７】
2006001131.tif 000009
【図８】
2006001131.tif 000010
【図９】
2006001131.tif 000011
【図１０】
2006001131.tif 000012
【図１１】
2006001131.tif 000013
【図１２】
2006001131.tif 000014
【図１３】
2006001131.tif 000015
【図１４】
2006001131.tif 000016
【図１５】
2006001131.tif 000017
【図１６】
2006001131.tif 000018
【図１７】
2006001131.tif 000019
【図１８】
2006001131.tif 000020
【図１９】
2006001131.tif 000021
【図２０】
2006001131.tif 000022
【図２１】
2006001131.tif 000023
【図２２】
2006001131.tif 000024
【図２３】
2006001131.tif 000025
【手続補正書】
【提出日】平成17年1月18日(2005.1.18)
【手続補正１】
【補正対象書類名】明細書
【補正対象項目名】００３０
【補正方法】変更
【補正の内容】
【００３０】
前部ケース２ａの右側部には、電源供給のための電源供給口１１と、パソコン等の図外の外部装置と接続するための接続口（インタフェース）１２が形成されており、接続することにより、外部装置からの文字情報に基づいて墨字印刷や点字打刻を行い得るようになっている。また、前部ケース２ａの左側部には、カートリッジ装着部６と外部とを連通する印刷テープ排出口２２が形成され、この印刷テープ排出口２２には、墨字印刷部１２０から送り出したテープＴを切断するための切断部１４０が臨んでいる。そして、切断部１４０によりテープＴの後端部が切断されることにより、印刷テープ排出口２２から墨字印刷後のテープＴが排出される。
【手続補正２】
【補正対象書類名】明細書
【補正対象項目名】００３１
【補正方法】変更
【補正の内容】
【００３１】
また、ラベル作成装置１は、図３に示すように、制御系から見た基本的な構成として、キーボード３およびディスプレイ４を有し、文字情報の入力や各種情報の表示などマンマシンインタフェースを司る操作部１１０と、テープカートリッジＣ、印刷ヘッド７および印刷送りモータ１２１を有し、テープＴおよびインクリボンＲを搬送しながらテープＴ上に墨字印刷を行う墨字印刷部１２０と、テープカッタ１４２およびこれを駆動するカッタモータ１４１を有し、印刷済みテープＴを切断する切断部１４０と、ソレノイド４７、打刻ピン４１および打刻送りモータ１５１を有し、テープＴを搬送しながらテープＴに点字打刻を行う点字打刻部１５０と、テープＴ（テープカートリッジＣ）の種別を検出するテープ識別センサ１７１、点字打刻部１５０においてテープＴの先端を検出する先端検出センサ９１、同じく点字打刻部１５０においてテープＴに印刷された前後識別情報Ｄを検出する前後識別センサ９２、印刷送りモータ１２１の回転速度を検出する印刷部回転速度センサ１７２、および打刻送りモータ１５１の回転速度を検出する打刻部回転速度センサ１７３を有し、各種検出を行う検出部１７０と、ディスプレイドライバ１８１、ヘッドドライバ１８２、印刷送りモータドライバ１８３、カッタモータドライバ１８４、打刻ドライバ１８５および打刻送りモータドライバ１８６を有し、各部を駆動する駆動部１８０と、各部と接続され、ラベル作成装置１全体を制御する制御部２００と、を備えている。
【手続補正３】
【補正対象書類名】明細書
【補正対象項目名】００３６
【補正方法】変更
【補正の内容】
【００３６】
例えば、ＣＰＵ２１０は、キーボード３より文字情報が入力されると、これに基づいて墨字印刷データを生成して墨字印刷データブロック２３２に一時的に記憶すると共に、同じく文字情報に基づいて点字打刻データを生成し、点字打刻データブロック２３３に一時的に記憶する。また、キーボード３から墨字印刷および点字打刻の指示を取得すると、印刷送りモータ１２１の駆動を開始し、印刷部回転速度センサ１７２の検出結果に応じて印刷ヘッド７を駆動することにより、墨字印刷データブロック２３２内の墨字データに基づく墨字印刷を行う。またこのとき、墨字データと共に、前後識別情報Ｄの印刷（予め制御データブロック２２２内に記憶されているデータに基づく）も行う。その後、墨字印刷データ（文字情報入力時に後余白長の長さを設定可能である場合はその後余白データも含む）に基づく所定長さのテープ送りを行うことで、テープカッタ１４２によりテープ後端部を切断し、印刷テープ排出口２２からテープＴを排出する。
【手続補正４】
【補正対象書類名】図面
【補正対象項目名】図２
【補正方法】変更
【補正の内容】
【図２】
2006001131.tif 000026
【手続補正５】
【補正対象書類名】図面
【補正対象項目名】図３
【補正方法】変更
【補正の内容】
【図３】
2006001131.tif 000027